(57)【特許請求の範囲】
【請求項１】
ボタンの操作で湯水の流路を第１吐水部又は第２吐水部に切り替え、さらに湯水の止水を可能にした止水機能付き吐水ヘッドにおいて、ボタンと連繋した保持部材を流路の下部に形成した切替室に移動自在に介在させ、該切替室は上部で隔壁の略中心に穿設した止水孔により流路と連通し、下部に装着した仕切板に第１吐水部と連通する第１弁孔、及び第２吐水部と連通する第２弁孔を間隔をおいて穿設し、前記保持部材は内部に収容したスプリングにより止水弁及び切替弁を上下に付勢し、ボタンが中央の位置の時は止水弁は止水孔を閉塞して止水し、ボタンを止水位置から一方又は他方へ操作して保持部材を移動させることで止水孔を開放し、切替弁により第１弁孔又は第２弁孔を開閉し、第１吐水部又は第２吐水部からの吐水を可能にしたことを特徴とする止水機能付き吐水ヘッド。
【発明の詳細な説明】
【０００１】
【発明の属する技術分野】
本発明は、ボタンの切替操作で湯水の止水及び二種類の吐水形態を選択できるようにした止水機能付き吐水ヘッドに関する。
【０００２】
【従来の技術】
従来、吐水ヘッドから吐水される湯水の流路を用途に応じて二種類の吐水形態から選択し、さらに止水も可能としたものとして特公平２−４２９７４号公報の第３図（ａ）（本願図面の図８）のものがある。この図８について簡単に説明すると、吐水ヘッドはカランの給水管３５先端部に固着した筒状のケース３６と、該ケース３６内に回動軸心がケース軸方向と直交して回動自在に配設したロータリ弁体３８と、該ロータリ弁体３８を回動する外部操作手段とを具備し、前記ケース３６の軸方向一端には給水管３５に連通する流入路３７を形成し、軸方向他端中央には直放水用開口部４２を有する第１の流出路３９を形成するとともに、前記第１の流出路３９の近傍に形成した流出孔４３と前記直放水用開口部４２の周囲に形成され流出孔４３と連通する散水用開口部４５とを有する第２の流出路４４を第１の流出路３９の周囲に形成し、前記ロータリ弁体３８には流入路３７を第１の流出路３９及び第２の流出路４４のいずれか一方に選択的に連通して通水する通水部４０と前記流入路３７を閉じる止水部４１とを設け、前記外部操作手段の回動位置により止水，直放水，散水の各状態に切り替えられるものである。
【０００３】
上記の吐水ヘッドは、外部操作手段を止水位置から回転させると最初は直放水用開口部から吐水され、さらに回転させることで散水用開口部から吐水されるために、散水状態に切り替える場合でも吐水位置から回転させる途中で直流状態の湯水が吐水されてしまい、さらに使用後に外部操作手段を止水位置に戻す時にも直流状態の湯水を吐水させてしまうため、無駄な水を二度流出させることとなり、非常に使い勝手の悪いものである。しかも止水位置から散水状態へ切り替えるには外部操作手段の回転量が大きくなってしまい、素早い切替操作のできないものであった。
【０００４】
【発明が解決しようとする課題】
本発明が解決しようとする課題は、ボタンの操作で湯水の止水及び二種類の吐水形態を選択できるようにした止水機能付き吐水ヘッドにおいて、止水位置からいずれかの吐水状態に切り替える際に素早く希望する吐水状態を得られるようにすることである。
【０００５】
【課題を解決するための手段】
本発明は、ボタンの操作で湯水の流路を第１吐水部又は第２吐水部に切り替え、さらに湯水の止水を可能にした止水機能付き吐水ヘッドにおいて、ボタンと連繋した保持部材を流路の下部に形成した切替室に移動自在に介在させ、該切替室は上部で隔壁の略中心に穿設した止水孔により流路と連通し、下部に装着した仕切板に第１吐水部と連通する第１弁孔、及び第２吐水部と連通する第２弁孔を間隔をおいて穿設し、前記保持部材は内部に収容したスプリングにより止水弁及び切替弁を上下に付勢し、ボタンが中央の位置の時は止水弁は止水孔を閉塞して止水し、ボタンを止水位置から一方又は他方へ操作して保持部材を移動させることで止水孔を開放し、切替弁により第１弁孔又は第２弁孔を開閉し、第１吐水部又は第２吐水部からの吐水を可能にしたものである。
【０００６】
【発明の実施の形態】
以下、本発明の実施の形態を図に基づいて詳細に説明する。
この実施例は図１に示すように、流し台又は洗面台等の天板Ｂに取り付けられる混合水栓Ａは、上部に湯水の吐水量及び温度を調節するレバーハンドル１が取り付けられ、胴体部２にはホルダー３が上傾して回転可能に設けられており、該ホルダー３の先端に吐水ヘッド４を引き出し自在に支持している。なお、吐水ヘッドは混合水栓と別体にして天板に取り付けてもよい。
【０００７】
前記吐水ヘッド４は図２乃至図４に示すように、湯水が通過する流路５の下部に切替室８を形成し、該切替室８は流路５との間に平面状に形成した隔壁６の略中央に穿設した止水孔７により流路５と連通している。切替室８の下部には、円周上の溝１０に水漏れ防止用のシールパッキン１１を嵌合した円板形の仕切板９が装着されている。この仕切板９の中央上部には図５乃至図７に示すように、ゴム製で横長のシートパッキン１２を嵌着し、該シートパッキン１２には円形で同一形状の第１弁孔１３及び第２弁孔１３ａが、後述するボタン２４の軸体２５を中心とする同心円上に位置するように間隔をおいて穿設されている。また、仕切板９の下部の偏心した位置から突出し、前記第１弁孔１３と連通する円筒部１４の内部には、直流状の湯水を吐水する第１吐水部１５を形成し、該第１吐水部１５は円筒部１４の下部に螺着したキャップ１６の内部に湯水を整流化するための整流網１６ａを介在させている。
【０００８】
散水板１９は上下を開口した円筒形で、上部内周の雌ねじ部２０を吐水ヘッド４の下部外周に形成した雄ねじ部１７にパッキン１８を挟んで螺着することで装着され、前記仕切板９との間に略円盤形の中間部材２１を介在させ、該中間部材２１は仕切板９の第２弁孔１３ａと連通する第２吐水部２２を形成し、下方に突出した出口を長孔２３とし、該長孔２３は縦長でスリット状に穿設されているので、幅広くしかも強い水勢で湯水をシンク等に向けて吐水させることができ、シンクで野菜や食器等の洗浄を行う場合に汚れを素早く落とすことができるうえ、飛び跳ねが少なく便利である。
【０００９】
シーソー式のボタン２４は、前記吐水ヘッド４の正面に一部が外部に露出するように介在させ、図２乃至図４に示すようにボタン２４と連繋する軸体２５の保持部材２６は前記切替室８に介在され、上下方向に収容したスプリング２７の弾性力により上部に付勢され前記隔壁６の止水孔７を下方から開閉するボール状の止水弁２８、及び下部に付勢され前記第１弁孔１３又は第２弁孔１３ａを上方から開閉する切替弁２９を支持している。
【００１０】
上記構成の吐水ヘッド４において、図２及び図５ではボタン２４と連繋した止水弁２８は止水孔７と上下に向かい合う位置にあり、スプリング２７の弾性力により上部に付勢され止水孔７を閉塞しているので、混合水栓Ａのレバーハンドル１を吐水方向へ操作しても湯水は流路５から切替室８へは供給されず、止水状態である。
【００１１】
ボタン２４を先の止水位置から一方へ押すと、軸体２５を中心にして保持部材２６と共に止水弁２８及び切替弁２９が水平方向へ移動し、図３及び図６に示すように流路５と切替室８は止水孔７により連通し、切替弁２９がスプリング２７の弾性力により下部に付勢され第２弁孔１３ａを閉塞し、第１弁孔１３を開放した所に位置している。この際、切替室８の湯水は第１吐水部１５から整流網１６ａを通過して乱れのない整流化された直流状態で勢いよく吐水され、この直流水はコップ又はその他大きな容器に短時間で湯水を入れる場合に適している。
【００１２】
次にボタン２４を止水位置から前述とは逆方向へ押すと、軸体２５を中心にして保持部材２６と共に止水弁２８及び切替弁２９が水平方向へ移動し、図４及び図７に示すように流路５と切替室８は止水孔７により連通し、切替弁２９がスプリング２７の弾性力により下部に付勢され第１弁孔１３を閉塞し、第２弁孔１３ａを開放した所に位置している。この際、切替室８の湯水は第２吐水部２２から長孔２３を通過して縦長の広い範囲で吐水され、シンクで野菜や食器等の全面を素早く洗浄することができる。
【００１３】
なお、本実施例では第１吐水部からは直流水が吐水され、第２吐水部からは縦長の湯水が吐水されるが、湯水の吐水形態は限定されるものではなく、散水流，泡沫流等に変更してもよい。
【００１４】
【発明の効果】
本発明においては、ボタンの操作で湯水の流路を第１吐水部又は第２吐水部に切り替え、さらに湯水の止水を可能にした止水機能付き吐水ヘッドにおいて、ボタンと連繋した保持部材を流路の下部に形成した切替室に移動自在に介在させ、該切替室は上部で隔壁の略中心に穿設した止水孔により流路と連通し、下部に装着した仕切板に第１吐水部と連通する第１弁孔、及び第２吐水部と連通する第２弁孔を間隔をおいて穿設し、前記保持部材は内部に収容したスプリングにより止水弁及び切替弁を上下に付勢し、ボタンが中央の位置の時は止水弁は止水孔を閉塞して止水し、ボタンを止水位置から一方又は他方へ操作して保持部材を移動させることで止水孔を開放し、切替弁により第１弁孔又は第２弁孔を開閉し、第１吐水部又は第２吐水部からの吐水を可能にした。従って、止水状態から湯水を吐水する際に第１吐水部又は第２吐水部への切替操作を素早く行うことができ、使い勝手が極めて良い。
【００１５】
また、従来の吐水ヘッドは止水状態から湯水を吐水する方向へ操作すると必要のない形態の湯水が吐水され、無駄に流出してしまうものであったが、本発明では止水位置が中央であるので止水状態からボタンを一方へ操作すれば必ず希望する形態の湯水を吐水させることができ、極めて経済的である。
【図面の簡単な説明】
【図１】吐水ヘッドを備えた混合水栓の側面図である。
【図２】吐水ヘッドの止水状態の断面図である。
【図３】吐水ヘッドの第１吐水部から吐水する場合の縦断面図である。
【図４】吐水ヘッドの第２吐水部から吐水する場合の縦断面図である。
【図５】吐水ヘッドの止水状態の平断面図である。
【図６】吐水ヘッドの第１吐水部から吐水する場合の平断面図である。
【図７】吐水ヘッドの第２吐水部から吐水する場合の平断面図である。
【図８】従来技術の説明図である。
【符号の説明】
４                      吐水ヘッド
５                      流路
６                      隔壁
７                      止水孔
８                      切替室
９                      仕切板
１３                    第１弁孔
１３ａ                  第２弁孔
１５                    第１吐水部
２２                    第２吐水部
２４                    ボタン
２６                    保持部材
２７                    スプリング
２８                    止水弁
２９                    切替弁
【図１】
0004260943.tif 000002
【図２】
0004260943.tif 000003
【図３】
0004260943.tif 000004
【図４】
0004260943.tif 000005
【図５】
0004260943.tif 000006
【図６】
0004260943.tif 000007
【図７】
0004260943.tif 000008
【図８】
0004260943.tif 000009